(57)【要約】【課題】  給紙動作後に、用紙トレイから飛び出している用紙を確実に用紙トレイに戻すことができる給紙装置及び画像形成装置を提供する。【解決手段】  用紙を１枚ずつに分離して下流側に給紙する分離部６、７の上流側近傍に、分離されずに残った用紙を用紙トレイ１に押し戻す用紙戻し板８を設けた給紙装置。【選択図】  図４
2006298542.tif 000002
【特許請求の範囲】
【請求項１】
用紙トレイ内に積載された用紙束の最上部から給紙された用紙を１枚ずつに分離して下流側に給紙する分離部の上流側近傍に、分離されずに残った用紙を前記用紙トレイ側に押し戻す用紙戻し板を設けたことを特徴とする給紙装置。
【請求項２】
請求項１記載の給紙装置において、前記用紙戻し板は、用紙戻し位置と用紙ガイド位置の間で回動するように構成されていることを特徴とする給紙装置。
【請求項３】
請求項１、又は２に記載の給紙装置を搭載したことを特徴とする画像形成装置。
【発明の詳細な説明】
【技術分野】
【０００１】
本発明は、給紙装置及びその給紙装置が搭載された画像形成装置に関する。
【背景技術】
【０００２】
画像形成装置においては、給紙装置内に収容された用紙は１枚ずつ給紙・分離されて、画像形成部の直前に配置されたレジストローラに向けて給紙される。正常な給紙動作においては、分離部で１枚に分離された用紙のみが用紙搬送路を下流側に給紙され、給紙された用紙に続く他の用紙は次の給紙動作に備えて、用紙トレイの正常位置に収容されている。
しかし、給紙過程で、給紙された先行用紙に引き続く他の後続用紙が分離部に滞留してしまい（用紙トレイから突出した状態となり）、次の給紙動作に支障をきたしてしまう場合がある。またこのように用紙トレイから用紙が飛び出した状態にある状態で、用紙トレイを画像形成装置本体から引き出すとき、その用紙を破損してしまう。
このようなことから、通紙終了後に用紙トレイから飛び出した用紙を取り除くために、通紙中に給紙コロへ逆回転させるための反力を溜めて、通紙が終了し用紙トレイを引き出すときに給紙コロを逆回転させて、滞留していた用紙を給紙方向と逆側に押し出す技術が提案されている（特開平８−２５９０１９号公報）。
【特許文献１】特開平８−２５９０１９号公報
【発明の開示】
【発明が解決しようとする課題】
【０００３】
上記従来技術は、用紙トレイから飛び出した用紙を、給紙コロと用紙分離手段の圧接が解除されたときに給紙コロに蓄えられていた逆転力によって、給紙方向とは反対側に蹴り出して分離部近傍での滞留を防止しようとしている。そのため、圧接の解除が行われたときの滞留していた用紙の位置や用紙の挙動によっては、うまく給紙コロの逆転力がその用紙に加わらず、用紙が用紙トレイ内に戻らない可能性がある。また、滞留している用紙が給紙コロに触れていると、その部分が抵抗となり用紙トレイ引き出しの際にその用紙を引き出せないことがありうる。
本発明は、給紙動作後に、用紙トレイから飛び出している用紙を確実に用紙トレイに戻すことができる給紙装置及び画像形成装置を提供することを目的とする。
【課題を解決するための手段】
【０００４】
上記目的を達成するために、請求項１記載の発明は、用紙トレイ内に積載された用紙束の最上部から給紙された用紙を１枚ずつに分離して下流側に給紙する分離部の上流側近傍に、分離されずに残った用紙を前記用紙トレイ側に押し戻す用紙戻し板を設けたことを特徴とする。
請求項２の発明は、請求項１記載の給紙装置において、前記用紙戻し板は、用紙戻し位置と用紙ガイド位置の間で回動するように構成されていることを特徴とする。
請求項３の発明は、請求項１、又は２に記載の給紙装置を搭載したことを特徴とする。
【発明の効果】
【０００５】
本発明は、用紙を１枚ずつに分離して下流側に給紙する分離部の上流側近傍に、分離されずに残った用紙を用紙トレイに押し戻す用紙戻し板を設けたので、給紙動作後に、用紙トレイから飛び出している用紙を確実に用紙トレイに戻すことができる。
【発明を実施するための最良の形態】
【０００６】
以下、本発明の実施形態を図面に従って説明する。
図１は本発明の実施形態に係る給紙装置の正面図、図２は斜視図である。本給紙装置は、用紙トレイ１と、その下流側に隣接して設けた給紙ユニット２を備えている。用紙トレイ１の上昇板３には用紙Ｐが積載され、用紙Ｐの幅方向端部は奥側と手前側の一対のサイドフェンス４（４−１、４−２）で規制されている。このサイドフェンス４の上側かつ先端側（給紙方向下流側）は図２に示すように給紙ユニット２の上面（用紙ガイド面）にまで延びている。
用紙トレイ１の上部にはピックアップコロ５が上下動可能に配置されている。またピックアップコロ５の下流側にあって給紙ユニット２には給紙コロ６と分離コロ７が互いに圧接して配置されている。
また、給紙ユニット２には、用紙トレイ１から突出し、給紙コロ６と分離コロ７からなる分離部近傍に滞留する用紙を用紙トレイ１まで押し戻す用紙戻し板８を設けている。この用紙戻し板８は、軸９を中心に用紙戻し位置と用紙ガイド位置の間で揺動するようになっている。軸９を挟んで用紙戻し板８と反対側にはアーム１０が所定の角度にて一体形成され、そのアーム１０はソレノイド１１のプランジャ１１ａによって引かれ、またソレノイド１１と反対側にあるバネ１２によってプランジャ突出方向へ付勢されるようになっている。
【０００７】
図３は本発明の実施形態に係る給紙装置において用紙を給紙する際の状態（用紙ガイド位置）を示す図、図４は本発明の実施形態に係る給紙装置において用紙を押し戻す際の状態（用紙戻し位置）を示す図である。
給紙時は図３に示すように、ソレノイド１１がオンしてプランジャ１１ａが引っ込むためアーム１０を左側に引く。そのため用紙戻し板８は軸９を中心に時計回り方向に回転して、給紙ユニット２の上面（用紙ガイド面）と面一になる。この状態で支障なく用紙を給紙することができる。
給紙動作が終了するとソレノイド１１がオフとなり、図４に示すように、アーム１０はバネ１２によって右側に引かれる。そのため用紙戻し板８は軸９を中心に反時計回り方向に回転して、給紙ユニット２の上面（用紙ガイド面）より上方に突出する。このとき給紙された用紙に続く用紙が分離部に残っていれば、回動する用紙戻し板８でその用紙を用紙トレイ１まで戻すことができる。
図５は本発明の実施形態に係る給紙装置において用紙トレイを画像形成装置本体から手前側に引き出した状態を示す図である。前述したように、サイドフェンス４の上側かつ先端側（給紙方向下流側）は給紙ユニット２の上面（用紙ガイド面）にまで延びているので、用紙Ｐの先端側両端部をサイドフェンス４で規制することができ（両者の接触点（接触線、或いは接触面）１３−１、１３−２）、用紙トレイ１を引き出したとき及び用紙トレイ１を再度元位置に戻したときに用紙の姿勢を安定させることができる。これによって用紙の斜行、ジャムをなくすことができる。
【図面の簡単な説明】
【０００８】
【図１】本発明の実施形態に係る給紙装置の正面図である。
【図２】本発明の実施形態に係る給紙装置の斜視図である。
【図３】本発明の実施形態に係る給紙装置において用紙を給紙する際の状態を示す図である。
【図４】本発明の実施形態に係る給紙装置において用紙を押し戻す際の状態を示す図である。
【図５】本発明の実施形態に係る給紙装置において用紙トレイを画像形成装置本体から手前側に引き出した状態を示す図である。
【符号の説明】
【０００９】
１  用紙トレイ、６  給紙コロ（分離部構成要素）、７  分離コロ（分離部構成要素）、８  用紙戻し板
【図１】
2006298542.tif 000003
【図２】
2006298542.tif 000004
【図３】
2006298542.tif 000005
【図４】
2006298542.tif 000006
【図５】
2006298542.tif 000007